(57)【要約】【課題】  ＡＶ装置等の所定の被制御装置を遠隔操作するとともに、他の被制御装置の動作を指令するリモコン信号を受信してＡＶ装置等の所定の被制御装置を遠隔操作することができるようにする。【解決手段】  所定の被制御装置の動作を指令するリモコン信号を送信するとともに、他の被制御装置の動作を指令するリモコン信号を受信し、リモコン信号のコードを変換するコード変換テーブルを参照して、受信されたリモコン信号のコードを所定の被制御装置の動作を指令するリモコン信号のコードに変換し、コード変換されたリモコン信号を送信するようにする。【選択図】        図１
0003108583.tif 000002
【実用新案登録請求の範囲】
【請求項１】
ＡＶ装置等の所定の被制御装置の動作を遠隔操作するリモコン装置であって、
前記所定の被制御装置の動作を指令する指令手段と、前記リモコン装置に回動自在に枢着され、他の被制御装置の動作を指令するリモコン信号を受信する受信手段と、リモコン信号のコードを変換するコード変換テーブルが格納された記憶手段と、前記記憶手段に格納されたコード変換テーブルを参照して、前記受信手段により受信されたリモコン信号のコードを前記所定の被制御装置の動作を指令するリモコン信号のコードに変換するコード変換手段と、前記受信手段の電源のＯＮ／ＯＦＦ時間を計時するタイマ手段と、前記タイマ手段が所定時間計時する毎に、前記受信手段の電源を所定短時間ＯＮにして前記受信手段によりリモコン信号を受信し、前記受信手段がリモコン信号を受信したとき、前記タイマ手段の計時を停止して前記受信手段の電源のＯＮ状態を維持し、前記受信手段によりリモコン信号を受信する制御手段と、前記指令手段により指令されたリモコン信号を送信するとともに、前記コード変換手段によりコード変換されたリモコン信号を送信する送信手段とを備えたことを特徴とするリモコン装置。
【請求項２】
ＡＶ装置等の所定の被制御装置の動作を遠隔操作するリモコン装置であって、
前記所定の被制御装置の動作を指令する指令手段と、他の被制御装置の動作を指令するリモコン信号を受信する受信手段と、リモコン信号のコードを変換するコード変換テーブルが格納された記憶手段と、前記記憶手段に格納されたコード変換テーブルを参照して、前記受信手段により受信されたリモコン信号のコードを前記所定の被制御装置の動作を指令するリモコン信号のコードに変換するコード変換手段と、前記指令手段により指令されたリモコン信号を送信するとともに、前記コード変換手段によりコード変換されたリモコン信号を送信する送信手段とを備えたことを特徴とするリモコン装置。
【請求項３】
前記受信手段は、前記リモコン装置に回動自在に枢着されていることを特徴とする請求項２記載のリモコン装置。
【請求項４】
前記受信手段の電源のＯＮ／ＯＦＦ時間を計時するタイマ手段と、前記タイマ手段が所定時間計時する毎に、前記受信手段の電源を所定短時間ＯＮにして前記受信手段によりリモコン信号を受信する制御手段とを更に備えたことを特徴とする請求項２記載のリモコン装置。
【請求項５】
前記制御手段は、前記受信手段がリモコン信号を受信したとき、前記タイマ手段の計時を停止して前記受信手段の電源のＯＮ状態を維持し、前記受信手段によりリモコン信号を受信する制御手段であることを特徴とする請求項４記載のリモコン装置。
【考案の詳細な説明】
【技術分野】
【０００１】
本考案は、ＡＶ（Ａｕｄｉｏ  Ｖｉｓｕａｌ）機器等の被制御装置の動作を遠隔操作するリモコン装置に係り、特に他の被制御装置の動作を指令するリモコン信号を受信してＡＶ機器等の所定の被制御装置の動作を遠隔操作するリモコン装置に関する。
【背景技術】
【０００２】
最近、地上波デジタルチューナやケーブルテレビ受像機等のセットトップボックスにＡＶマウスが装備されていて、セットトップボックスのリモコン装置から送信されたリモコン信号を受信して、そのリモコン信号のコードを所定のコードに変換し、所定のコードに変換されたリモコン信号をＡＶマウスから送信して、セットトップボックスに接続された外部チューナ装置、外部ＶＣＲ（Ｖｉｄｅｏ  Ｃａｓｓｅｔｔｅ  Ｒｅｃｏｒｄｅｒ）装置等の外部ＡＶ装置を遠隔操作することができるようになっている。しかし、ＡＶマウスは、外部ＡＶ装置の近傍に設置して使用しなければならず、接続ケーブルによりセットトップボックスに接続されているため、外部ＡＶ装置がセットトップボックスから離れた位置に設置されている場合、或いは、外部ＡＶ装置の近傍にＡＶマウスを設置することができない場合、ＡＶマウスにより外部ＡＶ装置を安定して遠隔操作することができないという問題点があった。
背景技術としては、テレビ受像機のリモコン装置のポジションボタンに、外部チューナのポジションボタンとしての役割を登録し、登録された役割に応じたリモコンコードを再送信して、外部チューナを遠隔操作するようにしたものがあった（例えば、特許文献１参照）。
また、セパレート型の画像表示ユニットの表示部に設けられたリモコン信号を受信してコード信号に変換して分配し、分配されたコード信号をリモコン信号として再送信して、他の映像機器を遠隔操作するようにしたものがあった（例えば、特許文献２参照）。
また、映像表示装置と映像出力装置とをＩ２Ｃ（Ｉｎｔｅｒ  Ｉｎｔｅｇｒａｔｅｄ  Ｃｉｒｃｕｉｔ）バス等のシリアル制御バスで互いに接続して、映像表示装置のリモコン装置から送信されたリモコン信号を受信し、映像表示装置から映像出力装置にコマンドを送出して、映像出力装置を遠隔操作するようにしたものがあった（例えば、特許文献３参照）。
【特許文献１】特開２００３−３７７５１号公報
【特許文献２】特開平９−３７１０４号公報
【特許文献３】特開２００３−３２５０８号公報
【考案の開示】
【考案が解決しようとする課題】
【０００３】
しかしながら、背景技術で述べたもののうち最初のものにおいては、テレビ受像機のリモコン装置のポジションボタンに、外部チューナのポジションボタンとしての役割を登録し、登録された役割に応じたリモコンコードを再送信して、外部チューナを遠隔操作することができたが、外部チューナを遠隔操作するリモコン送信部が接続ケーブルによりテレビ受像機に接続されたものであって、上記問題点を解決するようにしたものではなかった。
また、次のものにおいては、セパレート型の画像表示ユニットの表示部に設けられたリモコン信号を受信してコード信号に変換して分配し、分配されたコード信号をリモコン信号として再送信して、他の映像機器を遠隔操作することができたが、他の映像機器を遠隔操作する再送信ユニットが接続ケーブルによりセパレート型の画像表示ユニットに接続されたもので、上記同様、上記問題点を解決するようにしたものではなかった。
また、更にその次のものにおいては、映像表示装置と映像出力装置とをＩ２Ｃバス等のシリアル制御バスで互いに接続して、映像表示装置のリモコン装置から送信されたリモコン信号を受信し、映像表示装置から映像出力装置にコマンドを送出して、映像出力装置を遠隔操作することができたが、映像表示装置と映像出力装置とが接続ケーブルにより互いに接続されたものであって、上記問題点を解決するようにしたものではなかった。
本考案は、背景技術の有するこのような問題点に鑑みてなされたものであり、その目的とするところは、ＡＶ装置等の所定の被制御装置を遠隔操作するとともに、他の被制御装置の動作を指令するリモコン信号を受信してＡＶ装置等の所定の被制御装置を遠隔操作することができるリモコン装置を提供しようとするものである。
【課題を解決するための手段】
【０００４】
上記目的を達成するために、本考案におけるリモコン装置は、ＡＶ装置等の所定の被制御装置の動作を遠隔操作するリモコン装置であって、前記所定の被制御装置の動作を指令する指令手段と、他の被制御装置の動作を指令するリモコン信号を受信する受信手段と、リモコン信号のコードを変換するコード変換テーブルが格納された記憶手段と、前記記憶手段に格納されたコード変換テーブルを参照して、前記受信手段により受信されたリモコン信号のコードを前記所定の被制御装置の動作を指令するリモコン信号のコードに変換するコード変換手段と、前記指令手段により指令されたリモコン信号を送信するとともに、前記コード変換手段によりコード変換されたリモコン信号を送信する送信手段とを備える。
前記受信手段は、前記リモコン装置に回動自在に枢着するようにするとよい。
更に、前記受信手段の電源のＯＮ／ＯＦＦ時間を計時するタイマ手段と、前記タイマ手段が所定時間計時する毎に、前記受信手段の電源を所定短時間ＯＮにして前記受信手段によりリモコン信号を受信する制御手段とを備える。
前記制御手段は、前記受信手段がリモコン信号を受信したとき、前記タイマ手段の計時を停止して前記受信手段の電源のＯＮ状態を維持し、前記受信手段によりリモコン信号を受信するようにするとよい。
これらの手段により、ＡＶ装置等の所定の被制御装置を遠隔操作するとともに、他の被制御装置の動作を指令するリモコン信号を受信してＡＶ装置等の所定の被制御装置を遠隔操作することができる。
【考案の効果】
【０００５】
請求項１記載の考案に係るリモコン装置によれば、所定の被制御装置の動作を指令するリモコン信号を送信するとともに、所定時間毎に電源をＯＮにして他の被制御装置の動作を指令するリモコン信号を受信し、リモコン信号を受信したとき、電源のＯＮ状態を維持してそのリモコン信号を受信し、リモコン信号のコードを変換するコード変換テーブルを参照して、受信されたリモコン信号のコードを所定の被制御装置の動作を指令するリモコン信号のコードに変換し、コード変換されたリモコン信号を送信するようにしているので、所定の被制御装置を遠隔操作することができるとともに、リモコン装置の消費電力を抑制して、他の被制御装置の動作を指令するリモコン信号を受信し、そのリモコン信号のコードを変換してＡＶ装置等の所定の被制御装置を遠隔操作することができる。
請求項２記載の考案に係るリモコン装置によれば、所定の被制御装置の動作を指令するリモコン信号を送信するとともに、他の被制御装置の動作を指令するリモコン信号を受信し、リモコン信号のコードを変換するコード変換テーブルを参照して、受信されたリモコン信号のコードを所定の被制御装置の動作を指令するリモコン信号のコードに変換し、コード変換されたリモコン信号を送信するようにしているので、所定の被制御装置を遠隔操作することができるとともに、他の被制御装置の動作を指令するリモコン信号を受信して、そのリモコン信号のコードを所定の被制御装置に対応したコードに変換してＡＶ装置等の所定の被制御装置を遠隔操作することができる。
請求項３記載の考案に係るリモコン装置によれば、任意の方向から受信された他の被制御装置の動作を指令するリモコン信号を受信することができるようにしているので、他の被制御装置の動作を指令するリモコン信号を受信する方向とＡＶ装置等の所定の被制御装置を遠隔操作する方向とを任意に設定することができる。
請求項４記載の考案に係るリモコン装置によれば、所定時間毎に電源を所定短時間ＯＮにしてリモコン信号を受信するようにしているので、リモコン装置の消費電力を抑制して他の被制御装置の動作を指令するリモコン信号を受信することができる。
請求項５記載の考案に係るリモコン装置によれば、他の被制御装置の動作を指令するリモコン信号を受信したとき、電源のＯＮ状態を維持してそのリモコン信号を受信するようにしているので、他の被制御装置の動作を指令するリモコン信号を受信してそのリモコン信号のコードを所定の被制御装置に対応したコードに変換してＡＶ装置等の所定の被制御装置を遠隔操作することができる。
【考案を実施するための最良の形態】
【０００６】
以下、適宜図面を参照しながら本考案を実施するための最良の形態を詳述する。図１は本考案の一実施例のリモコン装置の構成を示すブロック図であり、図２は本考案の一実施例のリモコン装置を示す斜視図であり、図３は本考案の一実施例のリモコン装置の動作を示す説明図であり、図４は本考案の一実施例のリモコン装置の動作を示すフローチャートである。
まず、図１の本考案の一実施例のリモコン装置の構成を示すブロック図を基に説明する。
リモコン装置１０は、ＡＶ装置等の所定の被制御装置（図示せず）の動作を指令する複数の操作キーが設けられたキー操作部１１と、他の被制御装置（図示せず）の動作を指令する赤外線信号のリモコン信号を受信して、所定の電気信号に変換するリモコン受信部１２と、リモコン受信部１２の電源をＯＮ／ＯＦＦしてリモコン装置１０の消費電力を抑制する受信制御回路１３と、リモコン受信部１２の電源のＯＮ／ＯＦＦ時間を計時するタイマ回路１４と、リモコン装置１０のシステム全体を制御するマイコン１５と、他の制御装置（図示せず）の動作を指令するリモコン信号のコードを所定の被制御装置（図示せず）の動作を指令するリモコン信号のコードに変換する複数のコード変換テーブルが格納されたＲＯＭ（Ｒｅａｄ  Ｏｎｌｙ  Ｍｅｍｏｒｙ）１６と、所定周波数の搬送波をパルス変調してパルス変調された赤外線信号のリモコン信号を送信するリモコン送信部１７とで構成されている。なお、図２に示すように、リモコン受信部１２の受光部１２ａは、複数の操作キー１１ａが設けられたキー操作部１１に回動自在に枢着されていて、リモコン受信部１２の受光部１２ａを任意の方向に向けて他のリモコン装置（図示せず）から送信された他の被制御装置（図示せず）の動作を指令する赤外線信号のリモコン信号を受信することができるようになっている。
以上のように構成されたリモコン装置について、図３の本考案の一実施例のリモコン装置の動作を示す説明図を参照しながら、以下その動作について説明する。
乾電池がリモコン装置１０の電池収納部（図示せず）に装填されてリモコン装置１０の電源がＯＮになると、マイコン１５は、タイマ回路１４に制御信号を送出して、リモコン受信部１２の電源のＯＮ／ＯＦＦ時間を計時するタイマ回路１４のタイマの動作を開始させ、受信制御回路１３に制御信号を送出して、乾電池からの電力供給により動作するリモコン装置１０の消費電力を抑制するために、タイマ回路１４のタイマが所定時間Ｔ、例えば、３乃至５秒間計時する毎にリモコン受信部１２の電源を所定短時間ｔ１、例えば、０．１乃至０．３秒間ＯＮにして（図３（ａ）参照）、リモコン受信部１２により他の被制御装置（図示せず）の動作を指令する赤外線信号のリモコン信号を受信する。
リモコン受信部１２により他の被制御装置（図示せず）の動作を指令するリモコン信号Ａが受信されると（図３（ｂ）参照）、マイコン１５は、タイマ回路１４に制御信号を送出して、リモコン受信部１２の電源のＯＮ／ＯＦＦ時間を計時するタイマ回路１４のタイマの動作を停止させて（図３（ａ）参照）、受信制御回路１３に制御信号を送出して、リモコン受信部１２の電源のＯＮ状態を維持し、リモコン受信部１２によりリモコン信号Ａを受信し（図３（ｂ）参照）、ＲＯＭ１６に格納されたコード変換テーブルを参照して、リモコン受信部１２により受信された他の被制御装置の動作を指令するリモコン信号ＡのコードをＡＶ装置等の所定の被制御装置の動作を指令するリモコン信号のコードに変換し、リモコン送信部１７に制御信号を送出して、所定コードに変換されたリモコン信号Ｃをリモコン送信部１７からＡＶ装置等の所定の被制御装置に送信する（図３（ｄ）参照）。そして、リモコン信号Ｃの送信が終了すると、マイコン１５は、受信制御回路１３に制御信号を送出して、リモコン受信部１２の電源をＯＦＦにし、タイマ回路１４に制御信号を送出して、リモコン受信部１２の電源のＯＮ／ＯＦＦ時間を計時するタイマの動作を再び開始させる。
また、キー操作部１１の複数の操作キー１１ａのいずれかが操作されると（図３（ｃ）参照）、マイコン１５は、タイマ回路１４に制御信号を送出して、リモコン受信部１２の電源のＯＮ／ＯＦＦ時間を計時するタイマの動作を停止させ（図３（ａ）参照）、リモコン送信部１７に制御信号を送出して、キー操作部１１の複数の操作キー１１ａの中の操作された操作キーのリモコン信号ＢをＡＶ装置等の所定の被制御装置（図示せず）に送信し（図３（ｄ）参照）、ＡＶ装置等の所定の被制御装置（図示せず）を所定動作させる。そして、リモコン信号Ｂの送信が終了すると、マイコン１５は、タイマ回路１４に制御信号を送出して、リモコン受信部１２の電源のＯＮ／ＯＦＦ時間を計時するタイマの動作を再び開始させる。
また、図４の本考案の一実施例のリモコン装置の動作を示すフローチャートを基に説明する。
乾電池がリモコン装置の電池収納部に装填されてリモコン装置の電源がＯＮになると、ステップＳ１からステップＳ２に進み、ステップＳ２で、リモコン受信部の電源のＯＮ／ＯＦＦ時間を計時するタイマ回路のタイマの動作が開始されて、ステップＳ３に進む。
ステップＳ３で、キー操作部の複数の操作キーのいずれかが操作されたか否かが判断され、キー操作部の複数の操作キーのいずれかが操作された場合、ステップＳ９に進み、キー操作部の複数の操作キーのいずれも操作されていない場合、ステップＳ４に進む。
ステップＳ４で、リモコン受信部の電源のＯＦＦ時間が所定時間経過したか否かが判断され、リモコン受信部の電源のＯＦＦ時間が所定時間経過した場合、ステップＳ５に進み、リモコン受信部の電源のＯＦＦ時間が所定時間経過していない場合、ステップＳ３に戻って、ステップＳ３からのステップを繰り返す。
ステップＳ５で、リモコン受信部の電源が所定短時間ＯＮにされて、他の被制御装置の動作を指令する赤外線信号のリモコン信号が受信され、ステップＳ６に進む。
ステップＳ６で、他の被制御装置の動作を指令するリモコン信号が受信されたか否かが判断され、他の被制御装置の動作を指令するリモコン信号が受信された場合、ステップＳ７に進み、他の被制御装置の動作を指令するリモコン信号が受信されていない場合、ステップＳ８に進む。
ステップＳ７で、リモコン受信部の電源のＯＮ／ＯＦＦ時間を計時するタイマの動作が停止されて、リモコン受信部の電源ＯＮ状態が維持され、リモコン受信部により他の被制御装置の動作を指令するリモコン信号が受信され、受信された他の被制御装置の動作を指令するリモコン信号のコードが所定の被制御装置の動作を指令するリモコン信号のコードに変換されて、コード変換されたリモコン信号がリモコン装置から送信され、ステップＳ８に進む。
ステップＳ８で、リモコン受信部の電源がＯＦＦにされて、ステップＳ２に戻って、ステップＳ２からのステップを繰り返す。
ステップＳ９で、リモコン受信部の電源のＯＮ／ＯＦＦ時間を計時するタイマの動作が停止されて、操作キーのリモコン信号が送信され、ステップＳ２に戻って、ステップＳ２からのステップを繰り返す。
以上、本考案を実施するための最良の形態について詳述したが、本考案はこれに限らず、当業者の通常の知識の範囲内でその変形や改良が可能である。例えば、リモコン受信部をキー操作部に回動自在に枢着して、リモコン受信部の受光部を所望の方向に向けて他の被制御装置の動作を指令する赤外線信号のリモコン信号を受信することを説明したが、リモコン受信部をリモコン装置の他の面に回動自在に枢着して、他の被制御装置の動作を指令する赤外線信号のリモコン信号を受信するようにしてもよい。
【図面の簡単な説明】
【０００７】
【図１】本考案の一実施例のリモコン装置の構成を示すブロック図である。
【図２】本考案の一実施例のリモコン装置を示す斜視図である。
【図３】本考案の一実施例のリモコン装置の動作を示す説明図である。
【図４】本考案の一実施例のリモコン装置の動作を示すフローチャートである。
【符号の説明】
【０００８】
１０  リモコン装置
１１  キー操作部
１２  リモコン受信部
１２ａ  受光部
１３  受信制御回路
１４  タイマ回路
１５  マイコン
１６  ＲＯＭ
１７  リモコン送信部
【図１】
0003108583.tif 000003
【図２】
0003108583.tif 000004
【図３】
0003108583.tif 000005
【図４】
0003108583.tif 000006